(57)【要約】【課題】操作つまみの設置個所で本体ケースの内部への燃焼用の空気の供給を確保しながら、煮汁等が本体ケース内に流入するのを阻止できるようにする。【解決手段】天板３の上方へ延びるパッキン１２の外周に、周方向に沿って延びると共に、その一部が切欠き分断された分断フランジ部１２ｃを設け、切欠き分断された部分１３の下方に、補助フランジ部１２ｄを設け、分断フランジ部１２ｃと補助フランジ部１２ｄとの間に、燃焼用の空気を周方向に沿って案内して切欠き分断された部分１３に導く通気路ｓを形成してある。【選択図】図４
2019095115.tif 000002
【特許請求の範囲】
【請求項１】
本体ケースの上面を覆う天板には、操作つまみに連結された操作軸が挿通する操作孔が形成され、前記操作孔に筒状のパッキンが装着されたガスコンロであって、
前記天板の上方へ延びる前記パッキンの外周には、周方向に沿って延び、かつ、周方向の一部が切欠き分断された分断フランジ部が設けられていると共に、前記切欠き分断された部分の上方箇所及び下方箇所の少なくともいずれか一方箇所に、前記周方向の前記一部に亘る補助フランジ部が設けられている、
ことを特徴とするガスコンロ。
【請求項２】
本体ケースの上面を覆う天板には、操作つまみに連結された操作軸が挿通する操作孔が形成され、前記操作孔に筒状のパッキンが装着されたガスコンロであって、
前記天板の上方へ延びる前記パッキンの外周には、一周以上に亘って延びる螺旋状の螺旋フランジ部が設けられている、
ことを特徴とするガスコンロ。
【請求項３】
前記補助フランジ部の周方向長さが、前記周方向の前記一部の周方向長さより長く、前記補助フランジ部の周方向の端部と前記分断フランジ部の周方向の端部とが、上下で重複対向している、
請求項１に記載のガスコンロ。
【請求項４】
前記分断フランジ部及び前記補助フランジ部の内、下方に位置するフランジ部の外方へ延びる長さが、上方に位置するフランジ部の外方へ延びる長さに比べて大きい、
請求項１または３に記載のガスコンロ。
【請求項５】
前記螺旋フランジ部の外方へ延びる長さが、下方へ向かって大きくなる、
請求項２に記載のガスコンロ。
【請求項６】
前記操作つまみは、前記操作軸の上部に嵌合連結されるボス部と、このボス部を囲む下方に開放された大径の筒部とを備え、
前記パッキンの前記分断フランジ部及び前記補助フランジ部、又は、前記パッキンの前記螺旋フランジ部が、前記操作つまみにおける前記筒部内の下部に位置している、
請求項１ないし５のいずれか一項に記載のガスコンロ。
【発明の詳細な説明】
【技術分野】
【０００１】
本発明は、ガスコンロに係り、特には、天板の上に操作つまみを設置した上面操作仕様のガスコンロに関する。
【背景技術】
【０００２】
上面操作仕様のガスコンロとしては、例えば、特許文献１に示されているように、本体ケースの上面を覆う天板に操作孔を形成し、本体ケース内に立設したコンロ部調節用の操作軸を操作孔に挿通し、操作軸の上部に操作つまみを連結すると共に、操作孔に筒状のパッキンを内嵌装着したものが知られている。
【先行技術文献】
【特許文献】
【０００３】
【特許文献１】特開２００７−４０６１４号公報
【発明の概要】
【発明が解決しようとする課題】
【０００４】
上記した従来のガスコンロにおいては、操作つまみ取付け用の操作孔に筒状のパッキンを装着することで、例えば、加熱調理中に吹きこぼれが発生して煮汁が操作つまみ設置個所に流れてきた際に、操作孔に装着して立設した筒状のパッキンが煮汁を堰き止め、操作孔を介して煮汁が本体ケース内に流れ込むことを防止している。
【０００５】
また、このガスコンロでは、操作つまみの内部空間とパッキン内の空間を介して本体ケースの内部へ燃焼用の空気が流入するようにし、本体ケース内で燃料ガスと流入した空気とを混合してコンロバーナに送り込む混合ガスを生成するようにしている。
【０００６】
上記従来構造においては、パッキンが単純な筒状であったために、例えば、多量の煮汁が流れてきてパッキンにぶつかった際に、煮汁が大きく盛り上がってパッキンの上端にまで達し、煮汁の一部が操作つまみの内部空間及び筒状のパッキン内にまで流入し、本体ケース内の機器に付着して機器の作動を損ねるおそれがあった。
【０００７】
本発明は、このような実情に着目してなされたものであって、操作つまみの設置個所で本体ケースの内部への燃焼用の空気の供給を確保しながら、煮汁等が本体ケース内に流入するのを阻止できるようにすることを目的とする。
【課題を解決するための手段】
【０００８】
上記目的を達成するために、本発明では次のように構成している。
【０００９】
（１）本発明は、本体ケースの上面を覆う天板には、操作つまみに連結された操作軸が挿通する操作孔が形成され、前記操作孔に筒状のパッキンが装着されたガスコンロであって、
前記天板の上方へ延びる前記パッキンの外周には、周方向に沿って延び、かつ、周方向の一部が切欠き分断された分断フランジ部が設けられていると共に、前記切欠き分断された部分の上方箇所及び下方箇所の少なくともいずれか一方箇所に、前記周方向の前記一部に亘る補助フランジ部が設けられている。
【００１０】
本発明によると、例えば、加熱調理中に吹きこぼれが発生して、煮汁が操作つまみ設置個所に流れてきても、天板の上方へ延びる筒状のパッキンがこれを堰き止めて、本体ケース内への煮汁の流入が阻止される。また、多量の煮汁等が勢いよく操作つまみ設置個所に流れてきて、パッキンの筒部にぶつかって上方へ盛り上がるように流動しても、分断フランジ部、及び、その切欠き分断された部分に対応する補助フランジ部がこれを受け止めて、煮汁等がパッキンの上端を越えてパッキンの内部から本体ケース内へ流入することが阻止される。
【００１１】
また、補助フランジ部は、分断フランジ部の周方向の一部が切欠き分断された部分に、分断フランジ部とは、上下位置をずらして設けられているので、燃焼用の空気が、上下の両フランジ部間、及び、切欠き分断された部分を、通気路として流入し、筒状のパッキンの上方からその内部を通って本体ケースの内部に流入することになり、本体ケースの内部において、燃料ガスと燃焼用の空気との混合が好適に行われる。
【００１２】
（２）本発明は、本体ケースの上面を覆う天板には、操作つまみに連結された操作軸が挿通する操作孔が形成され、前記操作孔に筒状のパッキンが装着されたガスコンロであって、
前記天板の上方へ延びる前記パッキンの外周には、一周以上に亘って延びる螺旋状の螺旋フランジ部が設けられている
本発明によると、例えば、加熱調理中に吹きこぼれが発生して、煮汁が操作つまみ設置個所に流れてきても、天板の上方へ延びる筒状のパッキンがこれを堰き止めて、本体ケース内への煮汁の流入が阻止される。また、多量の煮汁等が勢いよく操作つまみ設置個所に流れてきて、パッキンの筒部にぶつかって上方へ盛り上がるように流動しても、一周以上に亘って延びる螺旋フランジ部がこれを受け止めて、煮汁等がパッキンの上端を越えてパッキンの内部から本体ケース内へ流入することが阻止される。
【００１３】
また、燃焼用の空気が、上下の螺旋フランジ部の間の螺旋溝を通気路として流通し、筒状のパッキンの上方からその内部を通って本体ケースの内部に流入することになり、本体ケースの内部において、燃料ガスと燃焼用の空気との混合が好適に行われる。
【００１４】
（３）本発明の好ましい実施態様では、前記補助フランジ部の周方向長さが、前記周方向の前記一部の周方向長さより長く、前記補助フランジ部の周方向の端部と前記分断フランジ部の周方向の端部とが、上下で重複対向している。
【００１５】
この実施態様によると、補助フランジ部の周方向長さが、分断フランジ部の切欠き分断された周方向の一部の周方向長さより長いので、補助フランジ部の周方向の端部と分断フランジ部の周方向の端部とが、上下で重複している。これによって、多量の煮汁等が勢いよく操作つまみ設置個所に流れてきて、パッキンの筒部にぶつかって上方へ盛り上がるように流動しても、上下で重複している分断フランジ部及び補助フランジ部によって、より確実に受け止められて、煮汁等がパッキンの上端を越えてパッキンの内部から本体ケース内へ流入することが阻止される。
【００１６】
（４）本発明の他の実施態様では、前記分断フランジ部及び前記補助フランジ部の内、下方に位置するフランジ部の外方へ延びる長さが、上方に位置するフランジ部の外方へ延びる長さに比べて大きい。
【００１７】
この実施態様によると、多量の煮汁等が勢いよく操作つまみ設置個所に流れてきて、パッキンの筒部にぶつかって上方へ盛り上がるように流動した際に、外方へ大きく延びている下方に位置するフランジ部によって、煮汁等の上方への流動を効果的に阻止することができる。
【００１８】
（５）本発明の更に他の実施態様では、前記螺旋フランジ部の外方へ延びる長さが、下方へ向かって大きくなる。
【００１９】
この実施態様によると、螺旋フランジ部は、下方のフランジ部程、外方へ延びる長さが長いので、多量の煮汁等が勢いよく操作つまみ設置個所に流れてきて、パッキンの筒部にぶつかって上方へ盛り上がるように流動した際に、外方へ大きく延びている下方のフランジ部によって、煮汁等の上方への流動を効果的に阻止することができる。
【００２０】
（６）本発明の他の実施態様では、前記操作つまみは、前記操作軸の上部に嵌合連結されるボス部と、このボス部を囲む下方に開放された大径の筒部とを備え、前記パッキンの前記分断フランジ部及び前記補助フランジ部、又は、前記パッキンの前記螺旋フランジ部が、前記操作つまみにおける前記筒部内の下部に位置している。
【００２１】
この実施態様によると、各フランジ部の外周と操作つまみにおける筒部の内周との間隙を小さく設定することで、各フランジ部の外周を越えて、煮汁等が操作つまみの内部からパッキンの内部を通って本体ケース内へ流入することを一層効果的に阻止することができる。
【００２２】
また、燃焼用の空気は、上下の分断フランジ部と補助フランジ部との間、及び、切欠き分断された部分を通気路として、操作つまみの内部に流入し、パッキンの内部を通って本体ケースの内部に流入することができ、本体ケースの内部において、燃料ガスと燃焼用の空気との混合が好適に行われる。
【００２３】
あるいは、燃焼用の空気は、螺旋フランジ部の螺旋溝を通気路として、操作つまみの内部に流入し、パッキンの内部を通って本体ケースの内部に流入することができ、本体ケースの内部において、燃料ガスと燃焼用の空気との混合が好適に行われる。
【発明の効果】
【００２４】
本発明によると、多量の煮汁等が勢いよく操作つまみ設置個所に流れてきて、パッキンの筒部にぶつかって上方へ盛り上がるように流動しても、分断フランジ部及び補助フランジ部、あるいは、螺旋フランジ部がこれを受け止めて、煮汁等がパッキンの上端を越えてパッキンの内部から本体ケース内へ流入することを阻止することができる。
【００２５】
また、燃焼用の空気は、分断フランジ部と補助フランジ部との間及び切欠き分断された部分を通気路として、あるいは、螺旋フランジ部の螺旋溝を通気路として、それぞれ筒状のパッキンの上方からその内部を通って本体ケースの内部に流入することができる。
【図面の簡単な説明】
【００２６】
【図１】図１は本発明の一実施形態に係るガスコンロの斜視図である。
【図２】図２は図１のガスコンロの平面図である。
【図３】図３は図２におけるＡ−Ａ断面図である。
【図４】図４は図３におけるＢ部の拡大図である。
【図５】図５はパッキンの斜視図である。
【図６】図６はパッキンの平面図である。
【図７】図７はパッキンの（ａ）正面図と、（ｂ）側面図である。
【図８】図８は別実施形態における操作つまみ設置個所の拡大した断面図である。
【図９】図９は別実施形態におけるパッキンの斜視図である。
【図１０】図１０は別実施形態におけるパッキンの平面図である。
【図１１】図１１は別実施形態におけるパッキンの（ａ）正面図と、（ｂ）側面図である。
【発明を実施するための形態】
【００２７】
［実施形態１］
以下、本発明の一実施形態のガスコンロとして、上面操作仕様に構成された三口のガスコンロについて、添付図面に基づいて説明する。
【００２８】
図１は本発明の一実施形態に係るガスコンロの斜視図であり、図２は図１のガスコンロの平面図であり、図３は図２におけるＡ−Ａ断面図であり、図４は図３におけるＢ部の拡大図である。
【００２９】
このガスコンロ１は、調理台におけるカウンタートップに形成された開口に落とし込み装着されるビルトイン型のものである。このガスコンロ１は、上面全体が開放した箱型に形成された本体ケース２の上面開口がガラスコーティングされた天板３で覆われている。ガスコンロ１の上面には、３つコンロ部４が設置されている。各コンロ部４は、火力の異なるコンロバーナ５と、放電式の点火装置６と、調理容器の底面に接触する熱電対利用の温度センサ７とを備えている。天板３の上面のコンロ部４には、五徳８が載置されている。また、天板３の手前上面の右側寄り箇所に、各コンロ部４に対する点消火及び火力調節用の操作つまみ９が、横一列状に設置された上面操作仕様となっている。
【００３０】
本体ケース２の内部には、ガス弁ブロック、ガス/空気の混合器、点消火スイッチなどの周知のバーナ関連部品がコンロバーナ５毎に備えられている。図４に示すように、各ガス弁ブロック及び点消火スイッチに連係された操作軸１０が、上下動及び回動可能に立設されて、天板に形成した操作孔１１にそれぞれ挿通している。
【００３１】
各操作軸１０の上端部には、操作つまみ９が一定向き姿勢で外嵌連結されている。この実施形態のガスコンロ１では、操作つまみ９を押し込んで点消火スイッチを操作し、点火装置６を放電点火作動させると共に、押し込んだ操作つまみ９を左方限界まで回すことで供給ガス量を最大にしてコンロバーナ５を点火する。点火の後、上方に復帰させた操作つまみ９を左右に回すことで供給ガス量を加減して火力の調節を行う。また、調理が終了した後、操作つまみ９を押し込んで右方の原点位置まで復帰回動することでガス供給を遮断して消火するようになっている。
【００３２】
操作つまみ９には、操作軸１０の上部に一定向き姿勢で圧入外嵌される連結ボス部９ａと、これを囲む連結ボス部９ａより大径の筒部９ｂとが備えられている。筒部９ｂの外径は、天板３の操作孔１１を覆い隠す大径に設定されている。
【００３３】
天板３の操作孔１１には、吹きこぼれた煮汁等が、操作孔１１を介して本体ケース２内に流入することを防止するために筒状のパッキン１２が、嵌合止着されている。
【００３４】
このパッキン１２は、シリコンゴムなどの弾性変形可能なゴム材や樹脂材で形成されている。このパッキン１２は、操作孔１１と同径の外径を有する筒部１２ａと、その下部の外周に設けた上下一対の取付け用フランジ部１２ｂとを備えている。パッキン１２の上下の取付け用フランジ１２ｂは、天板３の厚さに相当する上下間隔をもって設けられている。パッキン１２の下部を、縮径変形させて操作孔１１に挿入した後、元の形状に弾性復元させることで、操作孔１１の口縁が、上下の取付け用フランジ１２ｂの間に弾性嵌入して、パッキン１２が操作孔１１の口縁に起立姿勢で、水密に内嵌装着される。
【００３５】
この実施形態では、操作つまみ９の設置個所で本体ケース２の内部への燃焼用の空気の供給を確保しながら、煮汁等が本体ケース２内に流入するのを阻止できるようにするために、次のように構成している。
【００３６】
図５はパッキン１２の斜視図であり、図６はパッキン１２の平面図であり、図７（ａ）はパッキン１２の正面図であり、図７（ｂ）はパッキン１２の側面図である。
【００３７】
パッキン１２の取付け用フランジ部１２ｂより上方の外周、すなわち、天板３の上方へ延びるパッキン１２の外周には、周方向に沿って延び、かつ、周方向の一部が切欠き分断された分断フランジ部１２ｃが設けられていると共に、前記切欠き分断された部分１３の下方箇所に、前記周方向の前記一部以上の長さに亘って周方向に延びる補助フランジ部１２ｄが設けられている。
【００３８】
周方向に沿って延びる分断フランジ部１２ｃは、筒部１２ａの上端部外周に設けられている。この分断フランジ部１２ｃは、周方向の対角位置において切欠き分断されて、一対形成されている。
【００３９】
切欠き分断された部分１３の下方には、図７（ａ）に示すように、分断フランジ部１２ｃと一定の上下間隔ｃをもって補助フランジ部１２ｄが設けられている。この補助フランジ部１２ｄは、その周方向長さが、切欠き分断された部分１３の周方向長さに比べて長くなっている。したがって、補助フランジ部１２ｄの周方向端部と分断フランジ部１２ｃの周方向端部とが、上下に重複して対向している。
【００４０】
なお、補助フランジ部１２ｄの周方向長さは、切欠き分断された部分１３の周方向長さと同じであってもよい。
【００４１】
分断フランジ部１２ｃと補助フランジ部１２ｄとの間は、図７（ｂ）に示すように、燃焼用の空気を周方向に沿って切欠き分断された部分１３へ導く通気路ｓとして機能する。
【００４２】
これら分断フランジ部１２ｃと補助フランジ部１２ｄの外径は、図４に示されるように、操作つまみ９における筒部９ｂの内径よりも若干小さく設定されている。操作つまみ９が、図４に示すように、上昇復帰している状態において、操作つまみ９における筒部９ｂの内部に、分断フランジ部１２ｃと補助フランジ部１２ｄが入り込むようになっている。操作つまみ９が上下操作及び回動操作されても筒部９ｂの内周が、分断フランジ部１２ｃ及び補助フランジ部１２ｄの外周に触れて擦れることはない。
【００４３】
本実施形態によれば、例えば、加熱調理中に吹きこぼれが発生して、煮汁が操作つまみ設置個所に流れてきても、天板３上に起立しているパッキン１２がこれを堰き止めて、本体ケース２内への流入が阻止される。
【００４４】
また、例えば、多量の煮汁等が勢いよく操作つまみ設置個所に流れてきて、パッキン１２の筒部１２ａにぶつかって上方へ盛り上がるように流動しても、切欠き分断された部分１３の下方に位置する補助フランジ部１２ｄ及び上方の分断フランジ部１２ｃが、これを受け止めて、煮汁等がパッキン１２の上端に至るのを阻止することができる。これによって、煮汁等が、操作つまみ９の内部のパッキン１２の上端を越えて、パッキン１２の内部から本体ケース２内へ流入することを阻止することができる。
【００４５】
また、分断フランジ部１２ｃと補助フランジ部１２ｄとの間は、上記のように、燃焼用の空気を、切欠き分断された部分１３へ導く通気路ｓとなっているので、燃焼用の空気が、通気路ｓ及び切欠き分断された部分１３を通って操作つまみ９の内部に流入した後、筒状のパッキン１２の内部を経て本体ケース２の内部に流入することになる。つまり、パッキン１２及び操作つまみ９を通しての通気性が良好に確保され、本体ケース２の内部において混合器による燃料ガスと空気との混合が好適に行われる。
【００４６】
なお、パッキン１２を装着する場合には、切欠き分断された部分１３が、煮汁等が流れてくる方向、すなわち、コンロ部４に対面する方向に出来るだけ向かわないように装着するのが好ましい。このように装着しておくことによって、
コンロ部４から流れてきた煮汁が、切欠き分断された部分１３に近づくことがなく、操作つまみ９の内部に煮汁が流入することを一層確実に防止することができる。例えば、上記実施形態の場合、各操作つまみ９に対してコンロ部４は後方に位置しているので、切欠き分断された部分１３が、コンロ部４に向かわない左右箇所に位置するように、パッキン１２を装着しておくことが好ましい。
【００４７】
上記実施形態では、分断フランジ部１２ｃは、周方向の二箇所で切欠き分断されたが、分断フランジ部１２ｃは、周方向の少なくとも一箇所で、切欠き分断されていればよく、また、周方向の３箇所以上の複数個所で、切欠き分断されてもよい。なお、周方向の一箇所で切欠き分断する場合には、上記実施形態では、切欠き分断された部分１３が手前側に位置するようにパッキン１２を装着するとよい。
【００４８】
上記実施形態では、分断フランジ部１２ｃと補助フランジ部１２ｄとを、上下方向にそれぞれ１段ずつ設けたが、両フランジ部１２ｃ，１２ｄの少なくともいずれか一方のフランジ部を複数段設けてもよい。
【００４９】
また、分断フランジ部１２ｃと補助フランジ部１２ｄとの上下の位置関係は、上記実施形態に限らず、上下の位置関係を逆にしてもよい。
【００５０】
本発明の他の実施形態として、分断フランジ部１２ｃ及び補助フランジ部１２ｄの内、下方に位置するフランジ部を、上方に位置するフランジ部に比べて、外方へ延びる長さを長くする、すなわち、外径を大きくしてもよい。
【００５１】
この場合、操作つまみ設置箇所に勢いよく流れてきた煮汁等は、パッキン１２の筒部１２ａにぶつかって上方へ流動しようとするが、外径の大きな下方に位置するフランジ部によって、上方への流動を効果的に抑制することができる。
【００５２】
［実施形態２］
図８は本発明の別実施形態の図４に対応する断面図であり、図９は別実施形態のパッキンの斜視図であり、図１０はその平面図であり、図１１（ａ）はその正面図であり、図１１（ｂ）はその側面図である。これらの図において、上記実施形態と対応する部分には、同一の参照符号を付す。
【００５３】
この実施形態では、天板３の上方へ延びるパッキン１２の外周には、上記の分断フランジ部１２ｃ及び補助フランジ部１２ｄに代えて、一周を越える螺旋状の螺旋フランジ部１２ｅを設けている。この螺旋フランジ部１２ｅの上方の端部は、筒部１２ａの上端近くまで延びている。
【００５４】
その他の構成は、上記実施形態と同様である。
【００５５】
この実施形態では、上下の螺旋フランジ部１２ｅ間の螺旋溝が、燃焼用の空気を、操作つまみ９の内部へ導く通気路ｓとなっているので、燃焼用の空気が、通気路ｓを通って操作つまみ９の内部に流入した後、筒状のパッキン１２の内部を経て本体ケース２の内部に流入することになる。
【００５６】
また、螺旋フランジ部１２ｅは、切欠き分断されることなく、一周を越えて設けられているので、例えば、多量の煮汁等が勢いよく操作つまみ設置個所に流れてきて、パッキン１２の筒部１２ａにぶつかって上方へ盛り上がるように流動しても、螺旋フランジ部１２ｅがこれを受け止めて、煮汁等がパッキン１２の上端を越えてパッキン１２の内部を介して本体ケース２内へ流入することを効果的に阻止することができる。
【００５７】
この実施形態では、螺旋フランジ部１２ｅは、一周を越える螺旋状であったが、少なくとも一周に亘る螺旋状であればよい。
【００５８】
本発明の他の実施形態として、下方へ向かう程、螺旋フランジ部１２ｅの外方へ延びる長さを長くする、すなわち、外径を大きくしてもよい。
【００５９】
この場合、操作つまみ設置箇所に勢いよく流れて来た煮汁等は、パッキン１２の筒部１２ａにぶつかって上方へ流動するが、外径の大きな下方に位置する螺旋フランジ部１２ｅによって、上方への流動を効果的に抑制することができる。
【００６０】
［その他の実施形態］
本発明の他の実施形態として、分断フランジ部１２ｃ、補助フランジ部１２ｄ、あるいは、螺旋フランジ部１２ｅの外径を、操作つまみ９における筒部９ｂの内径に略等しく設定して、通気路ｓのみを介して外気が操作つまみ９内に流入するようにしてもよい。
【００６１】
上記実施形態では、分断フランジ部１２ｃ、補助フランジ部１２ｄ及び螺旋フランジ部１２ｅは、いずれも操作つまみ９の筒部９ｂの内部に位置するように設けたが、上記各フランジ部１２ｃ，１２ｄ，１２ｅは、少なくともその一部が、操作つまみ９の筒部９ｂの外部下方に位置するように設けてもよい。
【符号の説明】
【００６２】
２                本体ケース
３                天板
４                コンロ部
９                操作つまみ
９ａ              ボス部
９ｂ              筒部
１０              操作軸
１１              操作孔
１２              パッキン
１２ａ            筒部
１２ｃ            分断フランジ部
１２ｄ            補助フランジ部
１２ｅ            螺旋フランジ部
１３              切欠き分断された部分
ｃ                上下間隔
ｓ                通気路
【図１】
2019095115.tif 000003
【図２】
2019095115.tif 000004
【図３】
2019095115.tif 000005
【図４】
2019095115.tif 000006
【図５】
2019095115.tif 000007
【図６】
2019095115.tif 000008
【図７】
2019095115.tif 000009
【図８】
2019095115.tif 000010
【図９】
2019095115.tif 000011
【図１０】
2019095115.tif 000012
【図１１】
2019095115.tif 000013